(57)【要約】    【課題】ヒューム吸引トーチの重量による作業者の負担を軽減することで、ヒューム吸引トーチの操作性を向上させる。    【解決手段】ヒューム吸引トーチスタンド１によりヒューム吸引トーチ２の体感重量を軽減させる。このスタンド１は、支柱１０１と可動ブーム１０２とを含んで構成され、このスタンド１によりヒューム吸引トーチ２を作業者の上方から吊下支持させる。【選択図】  図１
2006231355.tif 000002
【特許請求の範囲】
【請求項１】
床面に対して起立状態に置かれ、ヒューム吸引トーチの実質的な支持高さを定める支柱と、
一側でこの支柱に対して変位可能に取り付けられるとともに、他側でヒューム吸引トーチを吊下支持し、前記支柱及びヒューム吸引トーチの間隔を定める可動ブームと、を含んで構成されるヒューム吸引トーチスタンド
【請求項２】
前記可動ブームが、前記支柱に対して仰角が変化自在に取り付けられ、前記可動ブームを、前記仰角を増大させる方向に付勢する第１のバネが設けられた請求項１に記載のヒューム吸引トーチスタンド。
【請求項３】
前記支柱の下端に取り付けられ、床面上でこのヒューム吸引トーチスタンドを移動させる電動台車と、
ヒューム吸引トーチに配置可能に設けられ、この電動台車を前進又は後退させる遠隔スイッチとが設けられた請求項１又は２に記載のヒューム吸引トーチスタンド。
【請求項４】
前記可動ブームと、ヒューム吸引トーチの取付け部との間に第２のバネが設けられた請求項１〜３のいずれかに記載のヒューム吸引トーチスタンド。
【発明の詳細な説明】
【技術分野】
【０００１】
本発明は、ヒューム吸引トーチを使用する際の作業上の負担を軽減させるためのヒューム吸引トーチスタンドに関する。
【背景技術】
【０００２】
代表的な職業病として知られるじん肺は、現在も国内における業務上疾病分類上の首位を占め、このじん肺に占める溶接工肺の割合は、近年増加の傾向にある。溶接工肺とは、溶接粉じんの吸入により発症するじん肺の一種であり、その予防には、起因物質である溶接粉じんを作業場から排除し、作業者の曝露を未然に防ぐことが必要である。そのための具体的な技術的手段の１つとして、現行の安全衛生法では、ヒューム吸引トーチ（特許文献１）の使用が推奨されている。
【特許文献１】特開平０９−２６７１７８号公報（段落番号００３１〜００３３）
【発明の開示】
【発明が解決しようとする課題】
【０００３】
ヒューム吸引トーチは、溶接ヒュームの除去に関し、プッシュプル換気装置等の他の技術的手段と比較して遜色のない効果を示すことが知られており、また、その簡易な構造により安価で提供し得るとして、現在国内外で複数の種類のものが市販されている。しかしながら、ヒューム吸引トーチは、その重量により作業者の負担が大きく、現実的に使用が困難であるとして敬遠され、充分に普及しているとは言い難いのが実情である。
【０００４】
本発明は、ヒューム吸引トーチの重量による作業者の負担を軽減することで、ヒューム吸引トーチの操作性及びこれによる作業性を向上させ、その普及促進を図るものである。
【課題を解決するための手段】
【０００５】
このため、本発明は、ヒューム吸引トーチを吊下支持するヒューム吸引トーチスタンドを提供する。本発明に係る装置は、床面に対して起立状態に置かれ、ヒューム吸引トーチの実質的な支持高さを定める支柱と、一側でこの支柱に対して変位可能に取り付けられるとともに、他側でヒューム吸引トーチを吊下支持し、支柱及びヒューム吸引トーチの間隔を定める可動ブームとを含んで構成される。
【発明の効果】
【０００６】
本発明によれば、作業時にヒューム吸引トーチをこのスタンドにより吊下支持することで、ヒューム吸引トーチの重量による作業者の負担を軽減し、ヒューム吸引トーチの操作性及びこれによる作業性を向上させることができる。
【発明を実施するための最良の形態】
【０００７】
以下に図面を参照して、本発明の実施の形態について説明する。
図１は、本発明の一実施形態に係るヒューム吸引トーチスタンド（以下「スタンド」という。）１の構成を示している。
スタンド１は、ヒューム吸引トーチ（以下「吸引トーチ」という。）２を吊下支持するものである。吸引トーチ２は、アーク溶接作業場において、溶接ヒュームの除去に使用される。
【０００８】
スタンド１は、支柱１０１及び可動ブーム１０２を含んで構成され、作業者の上方から吸引トーチ２を吊下支持する。
支柱１０１は、三つ又状に形成された脚部１０１ａと、この脚部１０１ａに対して回転自在に連結された上部１０１ｂとから構成されている。支柱１０１は、脚部１０１ａが三つ又状であることにより自立可能であり、作業場の床面に対して起立状態に置かれる。支柱１０１は、この状態で、床面からの吸引トーチ２の実質的な支持高さｈを定めている。支柱１０１の脚部１０１ａには、裏面に複数のキャスター１０３が取り付けられた台車１０４が固定されており、この台車１０４により床面上でスタンド１を移動させることができる。台車１０４には、電気モータが搭載された電動牽引車１０５が連結されており、後述する遠隔スイッチ３０１の操作により電動牽引車１０５を前進及び後退させて、スタンド１を前後に移動させることができる。本実施形態では、台車１０４及び電動牽引車１０５により「電動台車」を構成することとしているが、台車１０４自体に電気モータを搭載させることで、これ自体を電動台車として構成することもできる。
【０００９】
他方、可動ブーム１０２は、管状の複数の部材１０２ａ〜１０２ｃを入れ子状に組み合わせて、伸縮可能に構成したものであり、支柱１０１に取り付けられて、支柱１０１から吸引トーチ２までの間隔ｌを定めている。可動ブーム１０２は、基端において、支柱１０１の上部１０１ｂに対し、支柱１０１に垂直な軸Ａを中心として回転自在に（すなわち、仰角を変化自在に）取り付けられるとともに、先端において、吸引トーチ２を吊下支持している。可動ブーム１０２は、仰角が可変であるとともに、既述の通り支柱１０１の上部１０１ｂが脚部１０１ａに対して回転自在であることで、支柱１０１を中心として回転可能な状態にある。可動ブーム１０２と支柱１０１との間には、弾性定数が比較的に大きいバネ１０６が介装されており、このバネ１０６により、可動ブーム１０２は、仰角を増大させる方向（すなわち、支柱１０１に対する傾斜角度θを減少させる方向）に付勢されている。本実施形態では、バネ１０６は、フック１０７ａ，１０７ｂにより、可動ブーム１０２の基端と支柱１０１の上部１０１ｂとの間に引張状態で装着されており、その弾性定数は、吸引トーチ２から作業者の手が離れた自由な状態で、この仰角が一定に保持され、所定の支持高さｈが保持される大きさに設定されている。なお、バネ１０６は、可動ブーム１０２と支柱１０１との連結部分に内蔵させてもよい。また、本発明に関し、「バネ」とは、弾性部材の総称をいうものとする。
【００１０】
吸引トーチ２は、可動ブーム１０２の先端に吊り下げられた吊り部材１０８により吊下支持されている。吊り部材１０８には、弾性定数の比較的に小さなバネ１０９が取り付けられている。本実施形態では、バネ１０９の弾性定数を充分に小さなものとし、このバネ１０９により、可動ブーム１０２の仰角を変化させることなく、作業者の手元の動作による吸引トーチ２の小さな動きが吸収されるようにしている。
【００１１】
吸引トーチ２は、ヒューム吸引トーチとして一般的に知られるいかなる種類のものであってもよい。本実施形態では、先端に設けられたシールドガス吐出ノズル２０１からシールドガスを吐出させ、溶接ヒュームの発生源を周囲から遮断するとともに、巻き上がったシールドガスを後方に設けられたフード付きの吸引ノズル２０２により吸引することで、シールドガスを回収させ、この流れに乗せて溶接ヒュームを除去するものを採用している。吸引されたシールドガス及び溶接ヒュームは、ホース２０３を介して図示しない回収装置に送り込まれる。吸引トーチ２の作動及び停止は、グリップ２０４に設けられた作動スイッチ２０５（図２）により切り換えられる。この種類のヒューム吸引トーチとして、たとえば、興研株式会社製の商品名「ジェネフレッシュ」が市販されている。
【００１２】
図２は、吸引トーチ２の取付け部を示している。
吊り部材１０８は、一端で可動ブーム１０２の先端に繋がれる一方、他端でＯリング１１０に繋がれている。このＯリング１１０を介し、吊り部材１０８と吸引トーチ２とが２本の連結部材１１１ａ，１１１ｂ（ここでは、チェーン）により接続されている。連結部材１１１ａ，１１１ｂは、グリップ２０４の前後で、留め部材１１２ａ，１１２ｂにより吸引トーチ２に固定されている。Ｏリング１１０、連結部材１１１ａ，１１１ｂ及び留め部材１１２ａ，１１２ｂは、吸引トーチ２を作業上便利な向きに固定するためのものであり、吸引トーチ２の角度調節可能な固定手段を構成している。連結部材１１１ａ，１１１ｂの長さを調節することで、吸引トーチ２の向きを調節することができる。吸引トーチ２のグリップ２０４には、電動牽引車１０５の前進及び後退（詳細には、電気モータの正転及び逆転）を操作するための遠隔スイッチ３０１が配設されている。グリップ２０４において、遠隔スイッチ３０１は、作業者の親指が当たる位置に配置されている。
【００１３】
次に、スタンド１を使用した溶接作業の流れについて、図１により説明する。
作業に際し、作業者は、スタンド１を脇に置き、吸引トーチ２を上方から吊下支持させる。スタンド１の向きは、電動牽引車１０５の前進方向と溶接の進行方向Ｄとを一致させるように設定する。作業者は、この状態で吸引トーチ２のグリップ２０４を握り、溶接を行う。作業者がグリップ２０４を手元で上下させることによる程度の吸引トーチ２の小さな上下の動きは、吊り部材１０８に取り付けられたバネ１０９により吸収されるため、可動ブーム１０２の仰角を大きく変化させることはない。他方、支柱１０１を中心とする可動ブーム１０２の回転を実質的に阻害する要素はないため、可動ブーム１０２は、吸引トーチ２の（作業者から見た）前後の動きに対して速やかに追従する。溶接が進行し、作業者がスタンド１の支柱１０１から離れたときは、作業者は、遠隔スイッチ３０１を操作して、電動牽引車１０５を前進させることで、スタンド１を移動させ、吸引トーチ２に追従させることができる。
【００１４】
本実施形態によれば、次のような効果を得ることができる。
すなわち、本実施形態では、作業時に吸引トーチ２をスタンド１により吊下支持し、吸引トーチ２の重量の一部をこのスタンド１により受け持つこととしたので、この重量による作業者の負担を軽減し、吸引トーチ２の操作性及びこれによる作業性を向上させることができる。
【００１５】
また、支柱１０１に対し、可動ブーム１０２を、仰角を変化自在に取り付けるとともに、バネ１０６によりこの仰角を保持することとしたので、吸引トーチ２を所定の支持高さｈに保持しつつ、上下方向の溶接に対応することができる。
更に、電動牽引車１０５の遠隔スイッチ３０１を吸引トーチ２に配設し、手元での操作によりこの電動牽引車１０５を操作可能としたので、作業を中断させることなくスタンド１を移動させ、溶接ヒュームの除去効果を維持することができる。
【図面の簡単な説明】
【００１６】
【図１】本発明の一実施形態に係るヒューム吸引トーチスタンドの構成
【図２】同上実施形態に係るヒューム吸引トーチの取付け部の構成
【符号の説明】
【００１７】
１…ヒューム吸引トーチスタンド、２…ヒューム吸引トーチ、１０１…支柱、１０２…可動ブーム、１０４…台車、１０５…電動牽引車、１０６…高弾性バネ、１０８…吊り部材、１０９…低弾性バネ、２０１…シールドガス吐出ノズル、２０２…吸引ノズル、２０３…ホース、２０４…グリップ、３０１…遠隔スイッチ。
【図１】
2006231355.tif 000003
【図２】
2006231355.tif 000004